(57)【要約】【課題】違法コピー等を防止するための著作権保護情報を有するいわゆるＣＣＣＤ等であっても、ＣＤリッピングに代わり自己の占有するメモリなどに該ＣＣＣＤ等の楽曲データをネットワーク４を介して正当に取得することを目的とする。【解決手段】車載用ＡＶ装置１は、ＣＤに記録された楽曲データに対応するＴＯＣ情報を取得し、前記ＣＤに記録された楽曲データがＨＤ１２ｃに記録される場合には、前記取得されたＴＯＣ情報を前記ネットワークを介してサービスサーバ２に送信し、該サービスサーバ２より送信された、前記楽曲データに関連する対応情報を前記ネットワーク４を介して受信し、該受信した対応情報を前記ＨＤ１２ｃに記録するためのＨＤ記録部１２ａを有する。【選択図】  図１
2004258197.tif 000002
【特許請求の範囲】
【請求項１】
ネットワークを介して情報提供を行う情報提供装置と、前記ネットワークを介して前記情報提供装置にアクセス可能な情報記録装置と、を有する情報提供システムにおいて、
前記情報記録装置は、
一の記録媒体に記録されたプログラム情報に対応する識別情報を取得するための識別情報取得手段と、
前記一の記録媒体に記録されたプログラム情報が他の記録媒体に記録される場合には、前記一の記録媒体が前記プログラム情報にかかる著作権保護のための保護情報を有するか否かを認識する保護情報認識手段と、
前記保護情報認識手段によって前記保護情報を認識した場合には、前記識別情報を前記ネットワークを介して前記情報提供装置に送信する識別情報送信手段と、
前記識別情報に応じて前記情報提供装置から送信された、前記プログラム情報に関連する対応情報を前記ネットワークを介して受信する対応情報受信手段と、
前記対応情報受信手段によって受信した前記対応情報を前記プログラム情報に代えて前記他の記録媒体に記録するための情報記録手段と、を有し、
前記情報提供装置は、
前記情報記録装置から送信された前記識別情報を前記ネットワークを介して受信する識別情報受信手段と、
前記識別情報に基づいて、前記対応情報を取得する対応情報取得手段と、
前記対応情報を前記ネットワークを介して前記情報記録装置に送信する対応情報送信手段と、を有することを特徴とする情報提供システム。
【請求項２】
請求項１に記載の情報提供システムにおいて、
前記情報記録装置は、
前記一の記録媒体に記録されたプログラム情報が他の記録媒体に記録される場合に、前記保護情報の有無に関わらず、前記プログラム情報が前記一の記録媒体から前記他の記録媒体に記録できない場合に、前記識別情報送信手段及び前記対応情報受信手段を介して前記対応情報を前記プログラム情報に代えて前記他の記録媒体に記録することを特徴とする情報提供システム。
【請求項３】
請求項１または請求項２に記載の情報提供システムにおいて、
前記情報記録装置は、
前記識別情報に応じて前記情報提供装置から送信された、前記プログラム情報に関連する試情報を前記ネットワークを介して受信する試情報受信手段と、
前記受信した試情報を再生するための情報再生手段と、
前記情報再生手段によって前記試情報を再生した後に、前記対応情報の要求をユーザに促す対応情報要求手段と、を有し、
前記情報提供装置は、
前記識別情報に基づいて、前記試情報を取得する試情報取得手段と、
前記試情報を前記ネットワークを介して前記情報記録装置に送信する試情報送信手段と、を有し、
前記対応情報送信手段は、前記情報記録装置より前記対応情報の要求があった場合にのみ前記対応情報を該情報記録装置に送信することを特徴とする情報提供システム。
【請求項４】
請求項１から請求項３のいずれか一項に記載の情報提供システムにおいて、
前記情報記録装置は、
装置毎に、あるいは、前記一の記録媒体毎に、設定されたユーザ情報を取得するためのユーザ情報取得手段と、
前記取得したユーザ情報を、前記ネットワークを介して前記情報提供装置に送信するためのユーザ情報送信手段と、を有し、
前記情報提供装置は、
前記情報提供装置から送信された、前記ユーザ情報を受信するためのユーザ情報受信手段を有し、
前記対応情報送信手段は、前記ユーザ情報に基づいて不正アクセスであるか否かを判断し、不正アクセスであると判断した場合には、前記情報記録装置に前記対応情報の送信を行わないことを特徴とする情報提供システム。
【請求項５】
請求項１から請求項４のいずれか一項に記載の情報提供システムにおいて、
前記情報記録装置は、
前記対応情報に応じた対価情報を前記ネットワークを介して受信する対価情報受信手段をさらに有し、
前記情報提供装置は、
前記対価情報を取得する対価情報取得手段と、
前記取得した対価情報を前記ネットワークを介して前記情報記録装置に送信する対価情報送信手段と、
を有することを特徴とする情報提供システム。
【請求項６】
請求項５に記載の情報提供システムにおいて、
前記情報提供装置は、
前記ユーザ情報を管理するユーザ情報管理手段をさらに備え、
前記対価情報取得手段は、該ユーザ情報管理手段によって管理されたユーザ情報に基づいて前記対価情報を取得することを特徴とする情報提供システム。
【請求項７】
請求項５または請求項６に記載の情報提供システムにおいて、
前記情報記録装置は、
前記対価情報を前記ユーザに提示する対価情報提示手段をさらに有し、
前記対応情報要求手段は、前記対価情報提示手段によって前記対価情報を提示した後に、前記対応情報の要求をユーザに促すことを特徴とする情報提供システム。
【請求項８】
請求項５から請求項７のいずれか一項に記載の情報提供システムにおいて、
前記対価情報は、前記対応情報に応じた金銭の支払いを示す情報であることを特徴とする情報提供システム。
【請求項９】
請求項１から請求項８のいずれか一項に記載の情報提供システムにおいて、
前記一の記録媒体は、前記ユーザが占有する着脱式の記録媒体であることを特徴とする情報提供システム。
【請求項１０】
請求項１から請求項９のいずれか一項に記載の情報提供システムにおいて、
前記情報記録手段は、前記対応情報と、前記識別情報とを対応つけて前記他の記録媒体に記録することを特徴とする情報提供システム。
【請求項１１】
請求項１から請求項１０のいずれか一項に記載の情報提供システムにおいて、
前記識別情報送信手段は、前記識別情報に対応付けられた前記対応情報が前記他の記録媒体に記録されているか否かを判断し、記録されていると判断した場合には、当該識別情報の送信を行わないことを特徴とする情報提供システム。
【請求項１２】
ネットワークを介して情報提供装置にアクセス可能な前記情報記録装置において、
一の記録媒体に記録されたプログラム情報に対応する識別情報を取得するための識別情報取得手段と、
前記一の記録媒体に記録されたプログラム情報が他の記録媒体に記録される場合には、前記一の記録媒体が前記プログラム情報にかかる著作権保護のための保護情報を有するか否かを認識する保護情報認識手段と、を有し、
前記保護情報を認識した場合には、前記識別情報を前記ネットワークを介して前記情報提供装置に送信する識別情報送信手段と、
前記識別情報に応じて前記情報提供装置から送信された、前記プログラム情報に関連する対応情報を前記ネットワークを介して受信する対応情報受信手段と、
前記対応情報を前記他の記録媒体に記録するための情報記録手段と、を有することを特徴とする情報記録装置。
【請求項１３】
請求項１２に記載の情報記録装置において、
前記識別情報に応じて前記情報提供装置から送信された、前記プログラム情報に関連する試情報を前記ネットワークを介して受信する試情報受信手段と、
前記試情報を再生するための情報再生手段と、
前記情報再生手段によって前記試情報を再生した後に、前記対応情報の要求をユーザに促す対応情報要求手段と、を有することを特徴とする情報記録装置。
【請求項１４】
請求項１２または請求項１３に記載の情報記録装置において、
装置毎に、あるいは、前記一の記録媒体毎に、設定されたユーザ情報を取得するためのユーザ情報取得手段と、
前記取得したユーザ情報を、前記ネットワークを介して前記情報提供装置に送信するためのユーザ情報送信手段と、
を有することを特徴とする情報記録装置。
【請求項１５】
請求項１２から請求項１４のいずれか一項に記載の情報記録装置において、
前記対応情報に応じた対価情報を前記ネットワークを介して受信する対価情報受信手段をさらに有することを特徴とする情報記録装置。
【請求項１６】
請求項１５に記載の情報記録装置において、
前記受信した対価情報を前記ユーザに提示する対価情報提示手段をさらに有し、
前記対応情報要求手段は、前記対価情報提示手段によって前記対価情報を提示した後に、前記対応情報の要求をユーザに促すことを特徴とする情報記録装置。
【請求項１７】
ネットワークを介して情報記録装置に情報提供を行う情報提供装置において、
前記情報記録装置から送信された一の記録媒体に記録されたプログラム情報に対応する識別情報を前記ネットワークを介して受信する識別情報受信手段と、
前記識別情報に基づいて、前記プログラム情報に関連する対応情報を取得する対応情報取得手段と、
前記対応情報を前記ネットワークを介して前記情報記録装置に送信する対応情報送信手段と、を有することを特徴とする情報提供装置。
【請求項１８】
請求項１７に記載の情報提供装置において、
前記識別情報に基づいて、前記プログラム情報に関連する試情報を取得する試情報取得手段と、
前記試情報を前記ネットワークを介して前記情報記録装置に送信する試情報送信手段と、を有し、
前記対応情報送信手段は、前記情報記録装置より前記対応情報の要求があった場合にのみ前記対応情報を該情報記録装置に送信することを特徴とする情報提供装置。
【請求項１９】
請求項１７または請求項１８に記載の情報提供装置において、
前記情報記録装置から、該情報記録装置毎に、あるいは、前記一の記録媒体毎に、設定されたユーザ情報を受信するためのユーザ情報受信手段を有し、
前記対応情報送信手段は、前記ユーザ情報に基づいて不正アクセスであるか否かを判断し、不正アクセスであると判断した場合には、前記情報記録装置に前記対応情報の送信を行わないことを特徴とする情報記録装置。
【請求項２０】
請求項１７から請求項１９のいずれか一項に記載の情報提供装置において、
前記対応情報に応じた対価情報を取得する対価情報取得手段と、
前記対価情報を前記ネットワークを介して前記情報記録装置に送信する対価情報送信手段と、
を有することを特徴とする情報提供装置。
【請求項２１】
請求項２０に記載の情報提供装置において、
前記ユーザ情報を管理するユーザ情報管理手段をさらに備え、
前記対価情報取得手段は、該ユーザ情報管理手段によって管理されたユーザ情報に基づいて対価情報を取得することを特徴とする情報提供装置。
【請求項２２】
請求項１から請求項１１のいずれか一項に記載の情報提供システムにおいて、複数のコンピュータを前記情報記録装置及び前記情報提供装置として機能させることを特徴とする情報提供プログラム。
【請求項２３】
ネットワークを介して情報提供装置にアクセス可能なコンピュータを、
一の記録媒体に記録されたプログラム情報に対応する識別情報を取得し、
前記一の記録媒体に記録されたプログラム情報が他の記録媒体に記録される場合には、前記一の記録媒体が前記プログラム情報にかかる著作権保護のための保護情報を有するか否かを認識して、
前記保護情報を認識した場合には、前記識別情報を前記ネットワークを介して前記情報提供装置に送信し、
前記識別情報に応じて、前記情報提供装置から前記プログラム情報に関連する対応情報を前記ネットワークを介して受信するとともに、
前記対応情報を前記他の記録媒体に記録する請求項１２から請求項１６のいずれか一項に記載の情報記録装置として機能させることを特徴とする情報記録プログラム。
【請求項２４】
ネットワークを介して情報記録装置に情報提供を行うコンピュータを、
前記情報記録装置から送信された前記識別情報を前記ネットワークを介して受信し、
前記識別情報に基づいて、前記対応情報を取得して、前記対応情報を前記ネットワークを介して前記情報記録装置に送信する請求項１７から請求項２１のいずれか一項に記載の情報提供装置として機能させることを特徴とする情報提供プログラム。
【請求項２５】
ネットワークを介して情報提供を行う情報提供装置と、前記ネットワークを介して前記情報提供装置にアクセス可能な情報記録装置と、を有する情報提供システムにおける情報提供方法であって、
前記情報記録装置が、一の記録媒体に記録されたプログラム情報に対応する識別情報を取得するための識別情報取得工程と、
前記情報記録装置が、前記一の記録媒体に記録されたプログラム情報が他の記録媒体に記録される場合には、前記一の記録媒体が前記プログラム情報にかかる著作権保護のための保護情報を有するか否かを認識する保護情報認識工程と、
前記情報記録装置が、前記保護情報認識手段によって前記保護情報を認識した場合には、前記取得された識別情報を前記ネットワークを介して前記情報提供装置に送信する識別情報送信工程と、
前記情報提供装置が、前記情報記録装置から送信された前記識別情報を前記ネットワークを介して受信する識別情報受信工程と、
前記情報提供装置が、前記識別情報に基づいて前記対応情報を取得する対応情報取得工程と、
前記情報提供装置が、前記対応情報を前記ネットワークを介して前記情報記録装置に送信する対応情報送信工程と、
前記情報記録装置が、前記識別情報に応じて前記情報提供装置から送信された、前記プログラム情報に関連する対応情報を前記ネットワークを介して受信する対応情報受信工程と、
前記情報記録装置が、前記対応情報受信手段によって受信した前記対応情報を前記他の記録媒体に記録するための情報記録工程と、を有することを特徴とする情報提供方法。
【発明の詳細な説明】
【０００１】
【発明の属する技術分野】
ネットワークを介して情報提供を行う情報提供装置等に関する。
【０００２】
【従来の技術】
近年、ＣＤに記録された楽曲データをＨＤに記録する、いわゆるＣＤリッピングを行うことができる情報再生記録装置が知られており、かかる装置によれば、ユーザは、例えば、自己が購入した多くのＣＤに収録された楽曲データをＨＤに記録することができる。特に、かかる装置が車載用のものである場合、ユーザは車に乗る度に、多くのＣＤを車内に持ち込むという煩雑さを解消することができる。
【特許文献１】
特開２０００−２６８５４３号公報
【０００３】
【発明が解決しようとする課題】
しかし、当該ＣＤが、記録された楽曲データなどの情報の著作権を保護する観点から、パーソナルコンピュータ（ＰＣ）等における前記ＣＤリッピング等、ＣＤに記録された楽曲データ等のプロクラム情報の記録を制限するＣＤいわゆるＣＣＣＤ（Ｃｏｐｙ  Ｃｏｎｔｒｏｌｌｅｄ  Ｃｏｍｐａｃｔ  Ｄｉｓｃ）等である場合には、自己が正規に購入したＣＤであるにもかかわらず、自己の所有する装置、例えば車載用のＡＶ装置等においても内蔵されたＨＤ等に録音（記録）でき行ない場合があるという問題があった。
【０００４】
そこで、上記不便さの解消を一つの課題とし、著作権を保護するための保護情報を有する一の記録媒体に記録されたプログラム情報を他の記録媒体する場合等に、当該プログラム情報に関連する対応情報を、ユーザに提供することなどが可能な情報提供システムおよび情報提供プログラム等を提供することを目的する。
【０００５】
【課題を解決するための手段】
そこで、上記課題を解決するべく、請求項１に記載の発明は、ネットワークを介して情報提供を行う情報提供装置と、前記ネットワークを介して前記情報提供装置にアクセス可能な情報記録装置と、を有する情報提供システムにおいて、前記情報記録装置は、一の記録媒体に記録されたプログラム情報に対応する識別情報を取得するための識別情報取得手段と、前記一の記録媒体に記録されたプログラム情報が他の記録媒体に記録される場合には、前記一の記録媒体が前記プログラム情報にかかる著作権保護のための保護情報を有するか否かを認識する保護情報認識手段と、前記保護情報認識手段によって前記保護情報を認識した場合には、前記識別情報を前記ネットワークを介して前記情報提供装置に送信する識別情報送信手段と、前記識別情報に応じて前記情報提供装置から送信された、前記プログラム情報に関連する対応情報を前記ネットワークを介して受信する対応情報受信手段と、前記対応情報受信手段によって受信した前記対応情報を前記プログラム情報に代えて前記他の記録媒体に記録するための情報記録手段と、を有し、前記情報提供装置は、前記情報記録装置から送信された前記識別情報を前記ネットワークを介して受信する識別情報受信手段と、前記識別情報に基づいて、前記対応情報を取得する対応情報取得手段と、前記対応情報を前記ネットワークを介して前記情報記録装置に送信する対応情報送信手段と、を有することを特徴とする。
【０００６】
上記課題を解決するべく、請求項１２に記載の発明は、ネットワークを介して情報提供装置にアクセス可能な前記情報記録装置において、一の記録媒体に記録されたプログラム情報に対応する識別情報を取得するための識別情報取得手段と、
前記一の記録媒体に記録されたプログラム情報が他の記録媒体に記録される場合には、前記一の記録媒体が前記プログラム情報にかかる著作権保護のための保護情報を有するか否かを認識する保護情報認識手段と、を有し、前記保護情報を認識した場合には、前記識別情報を前記ネットワークを介して前記情報提供装置に送信する識別情報送信手段と、前記識別情報に応じて前記情報提供装置から送信された、前記プログラム情報に関連する対応情報を前記ネットワークを介して受信する対応情報受信手段と、前記対応情報を前記他の記録媒体に記録するための情報記録手段と、を有することを特徴とする。
【０００７】
上記課題を解決するべく、請求項１７に記載の発明は、ネットワークを介して情報記録装置に情報提供を行う情報提供装置において、前記情報記録装置から送信された一の記録媒体に記録されたプログラム情報に対応する識別情報を前記ネットワークを介して受信する識別情報受信手段と、前記識別情報に基づいて、前記プログラム情報に関連する対応情報を取得する対応情報取得手段と、前記対応情報を前記ネットワークを介して前記情報記録装置に送信する対応情報送信手段と、を有することを特徴とする。
【０００８】
上記課題を解決するべく、請求項２２に記載の発明は、請求項１から請求項１１のいずれか一項に記載の情報提供システムにおいて、複数のコンピュータを前記情報記録装置及び前記情報提供装置として機能させることを特徴とする。
【０００９】
上記課題を解決するべく、請求項２３に記載の発明は、ネットワークを介して情報提供装置にアクセス可能なコンピュータを、一の記録媒体に記録されたプログラム情報に対応する識別情報を取得し、前記一の記録媒体に記録されたプログラム情報が他の記録媒体に記録される場合には、前記一の記録媒体が前記プログラム情報にかかる著作権保護のための保護情報を有するか否かを認識して、前記保護情報を認識した場合には、前記識別情報を前記ネットワークを介して前記情報提供装置に送信し、前記識別情報に応じて、前記情報提供装置から前記プログラム情報に関連する対応情報を前記ネットワークを介して受信するとともに、前記対応情報を前記他の記録媒体に記録する請求項１２から請求項１６のいずれか一項に記載の情報記録装置として機能させることを特徴とする。
【００１０】
上記課題を解決するべく、請求項２４に記載の発明は、ネットワークを介して情報記録装置に情報提供を行うコンピュータを、前記情報記録装置から送信された前記識別情報を前記ネットワークを介して受信し、前記識別情報に基づいて、前記対応情報を取得して、前記対応情報を前記ネットワークを介して前記情報記録装置に送信する請求項１７から請求項２１のいずれか一項に記載の情報提供装置として機能させることを特徴とする。
【００１１】
上記課題を解決するべく、請求項２５に記載の発明は、ネットワークを介して情報提供を行う情報提供装置と、前記ネットワークを介して前記情報提供装置にアクセス可能な情報記録装置と、を有する情報提供システムにおける情報提供方法であって、前記情報記録装置が、一の記録媒体に記録されたプログラム情報に対応する識別情報を取得するための識別情報取得工程と、前記情報記録装置が、前記一の記録媒体に記録されたプログラム情報が他の記録媒体に記録される場合には、前記一の記録媒体が前記プログラム情報にかかる著作権保護のための保護情報を有するか否かを認識する保護情報認識工程と、前記情報記録装置が、前記保護情報認識手段によって前記保護情報を認識した場合には、前記取得された識別情報を前記ネットワークを介して前記情報提供装置に送信する識別情報送信工程と、前記情報提供装置が、前記情報記録装置から送信された前記識別情報を前記ネットワークを介して受信する識別情報受信工程と、前記情報提供装置が、前記識別情報に基づいて前記対応情報を取得する対応情報取得工程と、前記情報提供装置が、前記対応情報を前記ネットワークを介して前記情報記録装置に送信する対応情報送信工程と、前記情報記録装置が、前記識別情報に応じて前記情報提供装置から送信された、前記プログラム情報に関連する対応情報を前記ネットワークを介して受信する対応情報受信工程と、前記情報記録装置が、前記対応情報受信手段によって受信した前記対応情報を前記他の記録媒体に記録するための情報記録工程と、を有することを特徴とする。
【００１２】
【発明の実施の形態】
（第１の実施の形態）
次に、本願に好適な実施の形態について、図面に基づいて説明する。なお、以下に説明する実施の形態は、車載用ＡＶ（Ａｕｄｉｏ  Ｖｉｓｕａｌ）システムに対して本願を適用した場合の実施形態である。
【００１３】
［車載用ＡＶシステムの構成および機能］
始めに、図１を参照して、本実施形態にかかる車載用ＡＶシステムの構成および機能を説明する。図１は、第１の実施の形態における情報提供システムの一例としての車載用ＡＶシステムＳの概要構成を示すブロック図である。
【００１４】
図１に示すように、車載用ＡＶシステムＳは、本願の情報記録装置および情報記録装置を含む情報再生記録装置の一例としての車載用ＡＶ装置１と、本願の情報提供装置の一例としてのサービスサーバ２およびコンテンツサーバ３と、を含んで構成されている。サービスサーバ２とコンテンツサーバ３とは、ネットワーク４を介して相互に接続されている。また、車載用ＡＶ装置１は、ネットワーク４を介してサービスサーバ２およびコンテンツサーバ３にアクセス可能になっている。ネットワーク４は、例えば、ＬＡＮ、移動体通信網、およびインターネットなどにより構成される。なお、実際には、車載用ＡＶ装置１は、ユーザの数に応じて、複数設けられることになる。
【００１５】
［車載用ＡＶ装置］
まず、車載用ＡＶ装置１の構成および機能について説明する。
【００１６】
車載用ＡＶ装置１は、車両に搭載されるものであり、図１に示すように、一の記録媒体としてのＣＤ（Ｃｏｍｐａｃｔ  Ｄｉｓｃ）を再生するＣＤ再生部１１と、他の記録媒体として前記車載用ＡＶ装置１に設けられたＨＤ（Ｈａｒｄ  Ｄｉｓｃ）１２ｃと、ＨＤ記録部１２ａと、ＨＤ再生部１２ｂからなる記録部１２と、リモートコントローラおよび操作ボタン等を含む入力部１３と、表示制御部１４と、音声出力部１５と、通信部１６と、各構成部分を制御する制御部１７と、を含んで構成されており、各構成部分は、バス１８を介して相互に接続されている。
【００１７】
ＣＤ再生部１１は、ＣＤ（例えば、ユーザが適法に購入し、そのユーザが占有するＣＤ）を装填するための装填機構、ＣＤに記録された楽曲データを光学的に読み取るピックアップ、ＣＤを回転駆動するスピンドルモータ、スピンドルモータとピックアップをサーボ制御するサーボ回路、読み取られたプログラム情報としての楽曲データ（ＲＦ信号）に対して所定の復調処理等を施す信号処理部などを備えており、制御部１７の制御の下、楽曲データを再生し、バス１８を介して音声出力部１５に出力するようになっている。
【００１８】
また、ＣＤ再生部１１は、制御部１７の制御の下、識別情報の一例としてＣＤの最内周部に記録されたＴＯＣ（Ｔａｂｌｅ  ｏｆ  Ｃｏｎｔｅｎｔｓ）情報を読み出し、バス１８を介して制御部１７に出力するようになっている。このＴＯＣ情報には、通常楽曲データ毎のＣＤ上でのトラック番号、各楽曲データの開始位置と終了位置の絶対時間等が含まれている。また、前記ＣＤから前記ＨＤ１２ｃに楽曲データを記録（録音）しようとした場合に、該ＣＤのプログラム情報中（前記楽曲データの一部やその他データ部分）などに著作権保護のためＨＤ記録部１２ａへ該プログラム情報の出力を禁止する著作権情報が含まれているか否かを判断する保護情報認識手段を備えている。
【００１９】
本実施形態では、前記保護情報認識手段として制御部１７の制御によって判断し、搭載されたＣＤがこの著作権情報を含むＣＤいわゆるＣＣＣＤ（Ｃｏｐｙ  Ｃｏｎｔｒｏｌｌｅｄ  Ｃｏｍｐａｃｔ  Ｄｉｓｋ）でない場合には（後述するように例えば、ユーザから記録指示がある場合にのみ）、ＣＤ再生部１１は、楽曲データをバス１８を介してＨＤ記録部１２ａへ出力する。
【００２０】
ＨＤ記録部１２ａは、バッファメモリを備えている。前述のように制御部１７にて搭載されたＣＤが著作権情報を含むＣＤ（ＣＣＣＤ）でないと判断した場合には、上述したＣＤ再生部１１から出力された楽曲データは、制御部１７の制御の下（例えば、ユーザから記録指示がある場合にのみ）、バス１８を介してバッファメモリに一旦蓄えられた後、ＨＤ記録部１２ａによりＨＤ１２ｃに記録されるようになっている。また、通常このときに前記ＴＯＣ情報もあわせて、当該楽曲データに対応付けられてＨＤ１２ｃに記録される。また、当該楽曲データを再生したいときには、ＨＤ１２ｃに記録された楽曲データはＨＤ再生部１２ｂにより、制御部１７の制御の下、再生され、バス１８を介して音声出力部１５に出力されるようになっている。
【００２１】
一方、前記ＣＤから前記ＨＤ１２ｃに楽曲データを記録（録音）しようとした場合に、前記保護情報認識手段としての制御部１７にて搭載されたＣＤが著作権情報を含むＣＤ（ＣＣＣＤ）であると判断した場合には、ＨＤ記録部１２ａは、制御部１７の制御の下（例えば、ユーザから記録指示がある場合にのみ）、サービスサーバ２から送信（提供）された後述する楽曲データに関する試聴情報および対応情報として配信楽曲データをＨＤ１２ｃに記録するとともに、当該ＣＤから読み取られたＴＯＣ情報を、当該試聴情報および対応情報に対応付けてＨＤ１２ｃの所定のメモリ領域に記録する。
【００２２】
なお、ＴＯＣ情報は、ＨＤ１２ｃとは別の不揮発性メモリ（例えば、ＥＥＰＲＯＭ）を設け、これに記憶されるようにしてもよい。そして、当該試聴情報もしくは対応情報としての配信楽曲データを再生したいときには、ＨＤ１２ｃに記録された試聴情報および対応情報は、制御部１７の制御の下、ＨＤ再生部１２ｂにて再生され、一端、バッファメモリに蓄えられた後、バス１８を介して音声出力部１５に出力されるようになっている。
【００２３】
なお、ＨＤ１２ｃには、サービスサーバ２およびコンテンツサーバ３にネットワーク４を介してアクセスするために必要な情報（例えば、ネットワーク上における前記サーバ２，３のアドレスなど）および、車載用ＡＶ装置１の装置識別情報（車載用ＡＶ装置１毎に固有）が、ユーザ情報として記録されている。
【００２４】
また、入力部１３は、リモートコントローラや操作ボタンをユーザが操作することにより、当該ユーザからの記録指示等の操作指示を受け付けるものであり、その操作に対応する操作信号が生成されてバス１８を介して制御部１７等に出力される。
【００２５】
音声出力部１５は、楽曲データに対して所定の音響処理を施す音響処理部、デジタル楽曲データをアナログ音声信号に変換するＤＡＣ（Ｄｉｇｉｔａｌ−ｔｏ−Ａｎａｌｏｇ  Ｃｏｎｖｅｒｔｅｒ）、アナログ音声信号を増幅する増幅器および増幅されたアナログ音声信号を音波して出力するスピーカ等を含んで構成されている。これにより、音声出力部１５は、ＣＤ再生部１１から出力された楽曲データやＨＤ再生部１２ｂから出力された試聴情報もしくは対応情報等の楽曲データを制御部１７の制御の下、音波としてスピーカから出力する。通信部１６は、ネットワーク４を介してサービスサーバ２もしくはコンテンツサーバ３とデータ通信を行うためのものであり、制御部１７の制御の下、送信すべき情報（信号）が入力されると、当該信号に対して予め設定されている出力インターフェース処理を実行し、当該信号をネットワーク４を介してサービスサーバ２もしくはコンテンツサーバ３に出力するようになっている。また、通信部１６は、制御部１７の制御の下、サービスサーバ２もしくはコンテンツサーバ３からネットワーク４を介して送信された情報（信号）に対して予め設定されている入力インターフェース処理を実行し、制御部１７等に出力するようになっている。
【００２６】
また、制御部１７は、演算機能を有するコンピュータとしてのＣＰＵ、作業用ＲＡＭ、通信処理プログラム等を含む各種処理プログラムやデータ（後述する装置識別情報を含む）を記憶するＲＯＭ、発振回路等を備えており、入力部５からの操作信号を受けると、そこに含まれている操作内容に基づいて各構成部分を制御するための制御情報を生成してバス１８を介して該当する構成部分に出力するようになっている。こうして、制御部１７は、車載用ＡＶ装置１を構成する各構成部分の動作を統轄制御する。
【００２７】
つまり、制御部１７は、ＲＯＭ等に記憶された情報記録プログラムを実行することにより、車載用ＡＶ装置１を構成する構成部分を、本願の識別情報取得手段、保護情報認識手段、識別情報送信手段、試情報受信手段、対応情報受信手段、情報再生手段、情報記録手段、対応情報要求手段、ユーザ情報取得手段、ユーザ情報送信手段として機能させるようになっている。
【００２８】
より具体的には、制御部１７は通信部１６と共に識別情報取得手段として機能することにより、搭載されたＣＤに記録された楽曲データに対応するＴＯＣ情報を、ＣＤ再生部１１から取得する。
【００２９】
また、制御部１７は保護情報認識手段として機能することにより、搭載されたＣＤの楽曲データに著作権を保護するための保護情報が含まれるか否かを判断する。
【００３０】
また、制御部１７は、搭載されたＣＤに記録された楽曲データがＨＤ１２ｃに記録（いわゆる、ＣＤリッピング）されるようユーザによる入力部１３からの指示があり、かつ、当該ＣＤが保護情報を含むＣＤである場合には、当該楽曲データに関する試聴情報および配信楽曲データである対応情報を取得すべく、通信部１６と共に識別情報送信手段として機能することにより、上記ＴＯＣ情報をネットワーク４を介してサービスサーバ２もしくはコンテンツサーバ３に送信する。
【００３１】
また、制御部１７は、通信部１６と共に対応情報受信手段または試情報受信手段として機能することにより、上記ＴＯＣ情報に応じてサービスサーバ２から送信された上記対応情報または試聴情報をネットワーク４を介して受信する。
【００３２】
そして、制御部１７は、ＨＤ再生部１２ｂおよび音声出力部１５と共に情報再生手段として機能することにより、上記対応情報である配信楽曲データまたは試聴情報をスピーカから出力させる。
【００３３】
また、制御部１７は、ＨＤ記録部１２ａと共に情報記録手段として機能することにより、上記対応情報または試聴情報と、上記ＴＯＣ情報とを対応つけてＨＤ１２ｃの所定の領域に記録させる。
【００３４】
なお、このように、一端、上記対応情報がＨＤ１２ｃに記録されれば、再度、同一の対応情報をサービスサーバ２から受信しないようにしてもよい。この場合、制御部１７は、ＣＤからＨＤ１２ｃに記録しようとした（ＣＤリッピング）場合に、そのＴＯＣ情報に対応付けられた対応情報がＨＤ１２ｃに既に記録されているか否かを判断し、記録されていると判断した場合には、当該ＴＯＣ情報の送信を行わないように制御する。また、制御部１７は通信部１６と共に対応情報要求手段として機能することにより、試聴情報を確認後、ネットワーク４を介してサービスサーバ２に対応情報としての配信楽曲データを要求する。
【００３５】
また、制御部１７はユーザ情報取得手段として機能することにより、ＨＤ１２ｃに記録された車載用ＡＶ装置１固有の装置識別情報をＨＤ１２ｃ等から取得する。そして、制御部１７は、通信部１６と共にユーザ情報送信手段として機能することにより、当該装置識別情報をネットワーク４を介してサービスサーバ２に送信する。
【００３６】
［サービスサーバ］
次に、本実施形態における情報提供装置の一部であるサービスサーバ２の構成および機能について説明する。
【００３７】
サービスサーバ２は、情報提供業者により固定設置されるものであり、図１に示すように、記憶部２１、入力部２２、通信部２３および制御部２４を含んで構成されており、各構成部分は、バス２５を介して相互に接続されている。
【００３８】
記憶部２１は、例えば、ＨＤ（Ｈａｒｄ  Ｄｉｓｃ）等から構成されており、ここには、図示のように、ユーザ情報用データベース２１ａが構築されている。
【００３９】
ユーザ情報用データベース２１ａには、車載用ＡＶ装置１のユーザ情報がユーザ毎に区別されて登録（記憶）されている。ユーザ情報には、例えば、装置識別情報（車載用ＡＶ装置１毎に固有）と、車載用ＡＶ装置１からのアクセス履歴とが含まれる。かかるアクセス履歴には、アクセス日時、そのアクセス時に車載用ＡＶ装置１に送信された対応情報（配信楽曲データ）等を特定するための情報が含まれる。つまり、当該情報により一の車載用ＡＶ装置に何のＣＤの何の楽曲データに関する対応情報について何回アクセスがあったかなどが分かるようになっている。装置識別情報は、例えば、車載用ＡＶ装置１が購入されるとオペレータにより入力部２２を介して登録されたり、車載用ＡＶ装置１から当該サービスサーバ２に最初のアクセスがあったときに自動的に登録されるようにしてもよい。
【００４０】
前者の場合、入力部２２は、例えば、キーボード、マウス等により構成されており、オペレータが操作することにより、当該オペレータからの操作指示を受け付けるものであり、その操作に対応する操作信号が生成され、後者の場合は、車載用ＡＶ装置１から送信された装置識別情報が信号として入力されてバス２５を介して制御部２４等に出力される。
【００４１】
通信部２３は、ネットワーク４を介して車載用ＡＶ装置１もしくはコンテンツサーバ３とデータ通信を行うためのものである。
【００４２】
制御部２４は、演算機能を有するコンピュータとしてのＣＰＵ、作業用ＲＡＭ、通信処理プログラム等を含む各種処理プログラムやデータを記憶するＲＯＭ、発振回路等を備えており、入力部２２や通信部２３から信号を受けると、そこに含まれている内容に基づいて各構成部分を制御するための制御情報を生成してバス２５を介して該当する構成部分に出力するようになっている。これにより、制御部２４は、サービスサーバ２を構成する各構成部分の動作を統轄制御する。
【００４３】
また、制御部２４は、ＲＯＭ等に記憶された情報提供プログラムを実行することにより、本願の識別情報受信手段、対応情報取得手段、試情報取得手段、試情報送信手段、対応情報送信手段およびユーザ情報受信手段として前記各構成部分を機能させるようになっている。
【００４４】
より具体的には、制御部２４は通信部２３と共に識別情報受信手段として機能することにより、車載用ＡＶ装置１から送信されたＴＯＣ情報をネットワーク４を介して受信する。
【００４５】
そして、制御部２４は、試情報取得手段および対応情報取得手段としてそのＴＯＣ情報を後に詳述するコンテンツサーバ３にネットワーク４を介して送信し、試聴情報および対応情報をコンテンツサーバ３から取得する。
【００４６】
そして、制御部２４は通信部２３と共に試情報送信手段および対応情報送信手段として機能することにより、当該試聴情報および対応情報をネットワーク４を介して車載用ＡＶ装置１に送信する。
【００４７】
また、制御部２４は通信部２３と共にユーザ情報受信手段として機能することにより、車載用ＡＶ装置１からネットワーク４を介して送信される装置識別情報を受信する。
【００４８】
なお、上記情報提供プログラムは、ネットワーク４に接続された所定のサーバからダウンロードされるようにしてもよい。
【００４９】
［コンテンツサーバ］
次に、コンテンツサーバ３の構成および機能について説明する。
【００５０】
コンテンツサーバ３は、図１に示すように、記憶部３１、入力部３２、通信部３３および制御部３４を含んで構成されており、各構成部分は、バス３５を介して相互に接続されている。
【００５１】
記憶部３１は、ＨＤ（Ｈａｒｄ  Ｄｉｓｃ）等から構成されており、ここには、図示のように、試聴情報用データベース３１ａおよび対応情報用データベース３１ｂが構築されている。
【００５２】
試聴情報用データベース３１ａおよび対応情報用データベース３１ｂは、それぞれＴＯＣ情報から楽曲データに関する対応情報または試聴情報を検索するためのものであり、ここには、ＴＯＣ情報に対応付けられて楽曲データと同一の試聴情報または対応情報としての配信楽曲データが登録（記憶）されている。この試聴情報用データベース３１ａに登録されている試聴情報とは、楽曲データの１部の情報で、一例としては、楽曲データの始まりの部分（ｉｎｔｒｏｄｕｃｔｉｏｎ）やその曲の特定部分（例えば、いわゆる曲のサビ）などの情報である。
【００５３】
また、これら試聴情報および対応情報は、例えば、新しいＣＤが発売される際に、例えば、オペレータや他のデータベース（図示せず）により入力部３２を介して、試聴情報用データベース３１ａおよび対応情報用データベース３１ｂに登録されることになる。
【００５４】
制御部３４は、演算機能を有するコンピュータとしてのＣＰＵ、作業用ＲＡＭ、通信処理プログラム等を含む各種処理プログラムやデータを記憶するＲＯＭ、発振回路等を備えており、入力部３２からの信号を受けると、そこに含まれている内容に基づいて各構成部分を制御するための制御情報を生成してバス３５を介して該当する構成部分に出力するようになっている。これにより、制御部３４は、コンテンツサーバ３を構成する各構成部分の動作を統轄制御する。
【００５５】
そして、制御部３４は、サービスサーバ２から送信されたＴＯＣ情報をネットワーク４および通信部３３を介して受け付けると、試聴情報用データベース３１ａおよび対応情報用データベース３１ｂを参照して、当該ＴＯＣ情報に対応する楽曲データに関する対応情報または試聴情報を取得してサービスサーバ２に送信（返信）するようになっている。
【００５６】
なお、当該ＴＯＣ情報は、サービスサーバ２を経由せずに車載用ＡＶ装置１からネットワーク４を介して直接受信されるように構成してもよい。この場合、制御部３４は、車載用ＡＶ装置１からのＴＯＣ情報に対応する楽曲データに関する対応情報または試聴情報を取得してサービスサーバ２に送信することになる。
【００５７】
入力部３２および通信部３３の機能については、上記サービスサーバ２における入力部２２および通信部２３の機能と同様である。
【００５８】
［車載用ＡＶシステムの動作］
次に、図１乃至図４を参照して、車載用ＡＶシステムＳの動作を説明する。図２および図４は、車載用ＡＶ装置１にてＣＤからＨＤ１２ｃに記録（いわゆるＣＤリッピング）する場合の処理を示すものであり、具体的には、図２は、車載用ＡＶ装置１の制御部１７の処理を示すフローチャートであり、図３は、サービスサーバ２の制御部２４の処理を示すフローチャートであり、図４は、コンテンツサーバ３の制御部３４の処理を示すフローチャートである。
【００５９】
まず、図２を参照して車載用ＡＶ装置１における処理について説明する。なお、図２の処理は、制御部１７において上記情報記録プログラムが実行されることにより行われる。
【００６０】
図２の処理において、例えば、ユーザが占有しているＣＤを、車内に持ち込みＣＤ再生部１１に装填すると、車載用ＡＶ装置１の制御部１７は、ＣＤ再生部１１により当該ＣＤの最内周部から読み出されたＴＯＣ情報を取得し、例えば、作業用ＲＡＭに記憶する（ステップＳ１）。
【００６１】
次に、ユーザが入力部１３に設けられた操作ボタンを操作することにより、ＣＤからＨＤ１２ｃに記録する、いわゆるＣＤリッピングの動作指示を入力すると、制御部１７は、これを認識し（ステップＳ２：Ｙｅｓ）、装填されたＣＤがその楽曲データの著作権を保護するための保護情報を有するＣＤであるか否かを判別する（ステップＳ３）。他方、リッピングの動作指示がない場合には（ステップＳ２：Ｎｏ）、ステップＳ２の判断処理を繰り返す。
【００６２】
ステップＳ３の判別の結果、装填されたＣＤが保護情報を有するＣＤでない場合には（ステップＳ３：Ｎｏ）、通常のＣＤリッピング処理を行う。具体的には、ＣＤ再生部１１に対し楽曲データの再生指令を、ＨＤ記録部１２ａに対してはその楽曲データの記録指令をそれぞれ与える。これにより、ＣＤ再生部１１は再生準備を経て再生動作に移行し、ＨＤ記録部１２ａは記録準備を経て記録動作に移行することになる（このように、ＣＤリッピングはＣＤ再生と同時に行われるのが通常の動作である）。なお、楽曲データがＨＤ１２ｃに記録される際には、かかる楽曲データに対応付けられてＴＯＣ情報も記録される。
【００６３】
他方、ステップＳ３の判別の結果、装填されたＣＤが保護情報を有するＣＤである場合には（ステップＳ３：Ｙｅｓ）、制御部１７は、通信部１６を通じて、サービスサーバ２との通信をネットワーク４を介して確立し、取得したＴＯＣ情報と共にＨＤ１２ｃに記録されている装置識別情報をネットワーク４を介してサービスサーバ２に送信する（ステップＳ５）。かかるＴＯＣ情報を受信したサービスサーバ２等における処理は、後に詳述する。
【００６４】
なお、制御部１７は、コンテンツサーバ３との通信をネットワーク４を介して確立し、かかるＴＯＣ情報をコンテンツサーバ３に送信するように構成してもよい。また、この場合に、制御部１７は、装置識別情報のみをサービスサーバ２に送信するように構成すればよい。
【００６５】
次に、車載用ＡＶ装置１が上記ＴＯＣ情報に応じてサービスサーバ２から送信された試聴情報をネットワーク４を介して受信した場合には（ステップＳ６：Ｙｅｓ）、制御部１７は、試聴情報をＨＤ記録部１２ａによりＨＤ１２ｃに記録させた後に、ＨＤ再生部１２ｂおよび音声出力部１５によって該試聴情報を再生、出力する（ステップＳ７）。
【００６６】
他方、サービスサーバ２から試聴情報の受信がない場合には（ステップＳ６：Ｎｏ）、サービスサーバ２から拒否情報を受信したか否かを判断し、拒否情報を受信した場合には、通信部１６を通じて、サービスサーバ２との通信を切断してすべての処理を終了し（ステップＳ８：Ｙｅｓ）、拒否情報の受信もない場合には（ステップＳ８：Ｎｏ）には、ステップＳ５に移行して再度ＴＯＣ情報と共に装置識別情報をネットワーク４を介してサービスサーバ２に送信する。これは、サービスサーバ２との何らかの通信トラブルなどによって、ＴＯＣ情報および装置識別情報が適当にサービスサーバ２に送信されてない場合に、再度ＴＯＣ情報および装置識別情報の送信を試みるためである。この場合において、制御部１７の制御によりあらかじめ決められた回数だけ繰り返し試みるよう設定する。
【００６７】
そして、ステップＳ７の処理に従い試聴情報を出力後、制御部１７は、ユーザが入力部１３に設けられた操作ボタン等を操作することにより、ユーザに対して該試聴情報にかかる対応情報（配信楽曲データ）を要求するか否かの判断を促し（ステップＳ９）、対応情報要求の指示がある場合には（ステップＳ９：Ｙｅｓ）、対応情報要求をサービスサーバ２に送信する（ステップＳ１１）。
【００６８】
一方、対応情報要求の指示がない場合には（ステップＳ９：Ｎｏ）、制御部１７は、ユーザが入力部１３に設けられた操作ボタンを操作することにより、ユーザに対してすべてのＨＤ１２ｃへの記録動作（ＣＤリッピング）をキャンセルするか否かの判断を促し（ステップＳ１０）、キャンセル指示がある場合には、通信部１６を通じて、サービスサーバ２との通信を切断してすべての処理を終了する（ステップＳ１０：Ｙｅｓ）。これは、ユーザが試聴情報により楽曲データを確認した上で、その対応情報の受信をキャンセルする場合があるからである。
【００６９】
他方、ステップＳ１０においてユーザよりキャンセル指示がない場合には（ステップＳ１０：Ｎｏ）、ステップＳ５に戻る。
【００７０】
これは、サービスサーバ２との何らかの通信トラブルなどによって、前記対応情報を要求するか否かの指示がサービスサーバ２に送信されてない場合、もしくは、それ以前にＴＯＣ情報および装置識別情報がサービスサーバ２に送信されてない場合を考慮し、再度ＴＯＣ情報および装置識別情報の送信から試みるためである。このとき、制御部１７の制御によりあらかじめ決められた回数だけ繰り返し試みるよう設定する。
【００７１】
そして、ステップＳ１１で対応情報要求指示をサービスサーバ２に送信すると、車載用ＡＶ装置１はサービスサーバ２から送信された対応情報をネットワーク４を介して受信するまでステップＳ１２の判断処理を繰り返し（ステップＳ１２：Ｎｏ）、対応情報を受信すると（ステップＳ１２：Ｙｅｓ）、制御部１７は、上記ＴＯＣ情報と対応情報とを対応付けてＨＤ記録部１２ａによりＨＤ１２ｃに記録させる（ステップＳ１３）。その後、通信部１６を通じて、サービスサーバ２との通信を切断してすべての処理を終了する。
【００７２】
こうして、ユーザは、自己が占有するＣＤについての楽曲データの著作権について保護情報を有するＣＤであるため、所有するＨＤ１２ｃに対してＣＤリッピングを行うことができない場合でも、ネットワークを介して対応情報（配信楽曲データ）をＨＤ１２ｃに記録することが可能になる。
【００７３】
次に、図３および図４を参照してサービスサーバ２およびコンテンツサーバ３における処理について説明する。なお、図３の処理は、制御部２４において上記情報提供プログラムが実行されることにより行われる。図３の処理において、サービスサーバ２の制御部２４が車載用ＡＶ装置１から送信されたＴＯＣ情報および装置識別情報をネットワーク４を介して受信すると（ステップＳ２１）、制御部２４は、ユーザ情報用データベース２１ａを参照し、上記受信された装置識別情報に対応する車載用ＡＶ装置１からのアクセス日時およびその車載用ＡＶ装置１に送信した試聴情報および対応情報を特定するための情報を確認し、不正アクセスの疑いがあるか否かを判断する（ステップＳ２２）。
【００７４】
ここでいう不正アクセスとは、例えば、不正コピーを防止するために試聴情報や対応情報をダウンロードできる回数（配信可能回数）をあらかじめ所定回数定めておき、この所定回数以上にわたってこれら試聴情報や対応情報をダウンロードしようとした場合が考えられる。
【００７５】
このとき、不正アクセスであると判断した場合には（ステップＳ２２：Ｙｅｓ）、拒否情報を当該車載用ＡＶ装置１に送信し（ステップＳ２３）、上記受信された装置識別情報に対応するユーザ情報を更新して処理を終了する（ステップＳ２９）。このユーザ情報の更新とは、車載用ＡＶ装置１からのアクセス日時情報を、そのユーザ情報に追加する処理のことを示す。これにより、制御部２４は、ユーザが何回目の対応情報要求であるかについて、常に、最新の情報を認識することができる。
【００７６】
他方、不正アクセスでない場合には（ステップＳ２２：Ｎｏ）、通信部２３を通じて、コンテンツサーバ３との通信をネットワーク４を介して確立し、当該ＴＯＣ情報をネットワーク４を介してコンテンツサーバ３に送信する（ステップＳ２４）。
【００７７】
そして、図４の処理において、コンテンツサーバ３の制御部３４がサービスサーバ２から送信されたＴＯＣ情報をネットワーク４を介して受信すると（ステップＳ３１）、当該制御部３４は、試聴情報用データベース３１ａおよび対応情報用データベース３１ｂを参照して、当該ＴＯＣ情報に対応する楽曲データに関する試聴情報および対応情報としての配信楽曲データを取得し（ステップＳ３２）、サービスサーバ２に送信（返信）する（ステップＳ３３）。なお、当該ＴＯＣ情報が車載用ＡＶ装置１からネットワーク４を介して直接受信された場合にも、ステップＳ３２およびＳ３３の処理が実行されることになる。
【００７８】
そして、図３の処理に戻り、サービスサーバ２の制御部２４は、コンテンツサーバ３から上記ＴＯＣ情報に対応する試聴情報および対応情報をネットワーク４を介して受信するまでステップＳ２５の判断処理を繰り返し（ステップＳ２５：Ｎｏ）、これら試聴情報および対応情報を受信すると（ステップＳ２５：Ｙｅｓ）、制御部２４は、通信部２３を通じて車載用ＡＶ装置１に当該試聴情報を送信する（ステップＳ２６）。次に、制御部２４は、車載用ＡＶ装置１から対応情報要求を受信すると（ステップＳ２７：Ｙｅｓ）、通信部２３を通じて上記対応情報を車載用ＡＶ装置１に送信する（ステップＳ２８）。他方、車載用ＡＶ装置１から対応情報要求を受信しない場合には、ステップＳ２１に戻る。これは、車載用ＡＶ装置１との何らかの通信トラブル等によって通信できなかった場合など、再度ＴＯＣ情報等の受信から試みる趣旨である。この場合において、制御部２４の制御によりあらかじめ決められた回数だけ繰り返し試みるよう設定する（図２に示すフローにおいて、ステップＳ８：Ｎｏ，ステップＳ１０：Ｎｏと同様）。
【００７９】
そして、制御部２４は、ユーザ情報用データベース２１ａを参照し、上記受信された装置識別情報に対応するユーザ情報を更新して処理を終了する（ステップＳ２９）。このユーザ情報の更新は、車載用ＡＶ装置１からのアクセス日時およびその車載用ＡＶ装置１に送信した試聴情報および対応情報を特定するための情報を、そのユーザ情報に追加することにより行う。つまり、ユーザのアクセス回数、具体的には、一のＣＤの楽曲データに対応する対応情報をネットワーク４を介してダウンロードした回数を更新する。これにより、制御部２４は、上述したステップＳ２２の処理において不正が行われていると疑いがあるほど多数回にわたってダウンロードを行っていないか等を認識することができる。
【００８０】
以上説明したように、上記実施形態によれば、楽曲データに対応するＴＯＣ情報をＣＤから取得し、それに基づいて当該楽曲データに関連する対応情報をサービスサーバ２から取得して、ＨＤ１２ｃに記録可能にしたので、ユーザが購入したＣＤがその楽曲データについての著作権を保護するための保護情報を有するＣＤであっても、自己の有する他の記録媒体であるＨＤ１２ｃに（いわゆるＣＤリッピングに代えて）記録することが可能になる。
【００８１】
また、サービスサーバ２にユーザ情報用データベース２１ａを設けてユーザ情報を管理することにより、一つの車載用ＡＶ装置１からのアクセス回数を認識でき、多数回にわたって同一の装置からアクセスがあった場合などには対応情報等を送信しないなど、不正アクセスを防止することが可能になる。
【００８２】
なお、上記実施形態においては、本願の識別情報の一例としてＴＯＣ情報を適用したが、これに限定されるものでなく、例えば、ＴＯＣ情報をもその著作権を保護されている場合には、ＣＤから読み出すことができる当該ＣＤを特定できるものであれば如何なるものであってもよく、その場合、車載用ＡＶ装置１は、そのＣＤを特定するための特定情報をＴＯＣ情報の代わりに識別情報として取得し、ネットワーク４を介してサービスサーバ２に送信するように構成すればよい。その際には、サービスサーバ２の記憶部３１に識別情報に対応するＣＤのＴＯＣ情報に含まれる情報と同一の情報からなる楽曲情報を記憶する楽曲情報用データベースをさらに備えることにより、車載用ＡＶ装置１に搭載されたＣＤがＴＯＣ情報にまで著作権の保護を設定されていて、当該ＣＤのＴＯＣ情報をＨＤ１２ｃに記録することができない場合でも、サービスサーバ２から識別情報としての特定情報を受信した場合には、対応情報だけでなくこの楽曲情報を、提供することができる。
【００８３】
また、車載用ＡＶ装置１の動作処理において、制御部１７は、搭載されたＣＤの楽曲データもしくはそれに類する対応情報（配信楽曲データ）がＨＤ１２ｃに記録されている場合には、ＴＯＣ情報を送信しないよう制御してもよい。これにより、既に対応情報をダウンロードしてＨＤ１２ｃに記録されている場合に再度対応情報を取得する動作を行うことを防止できる。
【００８４】
また、上記実施形態において、試聴情報と対応情報とをＴＯＣ情報に対応付けてＨＤ１２ｃに記録したが、これにはよらず、例えば対応情報を受信した場合には、試聴情報をＨＤ１２ｃから消去して対応情報のみをＴＯＣ情報に対応付けて記録することで、ＨＤ１２ｃの記憶容量の効率化を図るようにしてもよい。
【００８５】
また、情報再生手段の一例としてＣＤ再生部１１を適用したが、これに限定されるものではなく、例えば、ＤＶＤ（Ｄｉｇｉｔａｌ  Ｖｅｒｓａｔｉｌｅ  Ｄｉｓｃ）に記録された楽曲および映像データを再生するＤＶＤ再生部や、ＭＤ（Ｍｉｎｉ  Ｄｉｓｃ）に記録された楽曲データを再生するＭＤ再生部などを適用してもよく、また、これらを併用するように構成してもよい。
【００８６】
また、一例としてＨＤ記録部１２ａおよびＨＤ再生部１２ｂを適用したが、これに限定されるものではなく、例えば、ＣＤ−Ｒに楽曲データを記録再生するＣＤ−Ｒ記録部およびＣＤ−Ｒ再生部や、ＤＶＤ−Ｒ／Ｗに楽曲データを記録再生するＤＶＤ−Ｒ／Ｗ記録部およびＤＶＤ−Ｒ／Ｗ再生部などを適用してもよく、また、これらを併用するように構成してもよい。
【００８７】
また、上記実施形態においては、ユーザ情報用データベース２１ａには、ユーザ情報を車載用ＡＶ装置１に固有の識別情報として登録したが、その他の例として、ＣＤが購入される際に、ユーザ登録用紙に記入された記入情報（ユーザがＣＤ購入の際に記入した、氏名、電話番号、メールアドレスなど）を、ユーザ情報として当該ＣＤの一部に記録させ、同一または対応するユーザ情報をサービスサーバ２のユーザ情報用データベース２１ａに登録（記憶）してもよい。その際には、車載用ＡＶ装置１の制御部１７の制御の下、ＣＤからＴＯＣ情報および該ＣＤ購入者のユーザ情報を取得して、ネットワーク４を介してサービスサーバ２へ送信する。そして、サービスサーバ２の制御部２４の制御の下、車載用ＡＶ装置１から受信したユーザ情報と、ユーザ情報用データベース２１ａに登録されているユーザ情報とを照合することによって、一のＣＤを占有するユーザを特定することにより、一のＣＤを占有するユーザから該ＣＤの楽曲データにかかる対応情報について何回アクセスがあったかが分かるように構成してもよい。
【００８８】
また、上記実施形態においては、試聴情報および対応情報としての楽曲データをＣＤに記録されたプログラム情報と同様、そのままＨＤ１２ｃに記録することを前提として説明したが、例えば、ＭＰ３、ＡＴＲＡＣ３等のフォーマットで圧縮したり、ＨＤ１２ｃへの記録に際して著作権保護のための試聴情報および対応情報の暗号化を行ってから試聴情報および対応情報をＨＤ１２ｃに記録するように構成してもよい。
【００８９】
また、上記実施形態においては、本願の情報記録装置および情報再生記録装置を車載用ＡＶ装置に適用したが、これに限定されるものではなく、例えば、家庭用ＡＶ装置や、車載用ナビゲーション装置、パーソナルコンピュータ（ＰＣ）等に対して適用するようにしてもよい。
【００９０】
なお、上記実施形態においては、本願の情報提供装置の一例としてのサービスサーバ２およびコンテンツサーバ３を、ハードウェア的に分離する構成としたが、サービスサーバ２とコンテンツサーバ３の機能を一体化したサーバを適用するようにしてもよく、サービスサーバ２とコンテンツサーバ３とを分離して構成する場合は、コンテンツサーバ３を複数設定してもよい。
【００９１】
（第２の実施の形態）
次に、本願に好適な第２の実施の形態について図面に基づいて説明する。この第２の実施形態は、上述した第１の実施形態の構成に加え、前記対応情報を取得した場合にその対価の授受を行うことをさらに付加したものであり、その他構成および変形例については、第１の実施形態に準じて変更可能である。
【００９２】
［車載用ＡＶシステムの構成および機能］
第２の実施の形態による車載用ＡＶシステムＳの構成および機能を図５を参照して説明する。
【００９３】
図５に示すように、サービスサーバ２に設けられた記憶部２１にユーザ情報用データベース２１ａおよび対価情報用データベース２１ｂを備えている。
【００９４】
このユーザ情報用データベース２１ａには、装置購入時にユーザによって記入されたクレジットカードの番号や銀行の口座番号など金銭支払方法等がさらにユーザ毎に登録（記憶）されている。つまり、サービスサーバ２から対応情報を要求してきた車載用ＡＶ装置１のユーザに対して、該対応情報に対する対価を精算するための情報がユーザ情報として登録されている。
【００９５】
また、対価情報用データベース２１ｂには、サービスサーバ２から車載用ＡＶ装置１に、ＣＤの楽曲データに対応する対応情報を提供する場合において、サービスサーバ２側に対して、当該車載用ＡＶ装置１のユーザがその対応情報へ支払う対価（対応情報のダウンロード料（金銭））算出のベースになる対価情報が登録（記憶）されている。例えば、初版ＣＤの場合のみ対価を要求しない（無料で対応情報を送信する。）という情報や、自己の占有するＣＤにかかる対応情報のダウンロードであっても、あらかじめ定めた回数以上（例えば１０回以上）のダウンロードであるか否かを、制御部２４の制御の下、ユーザ情報用データベースａを参照することにより判断し、あらかじめ定められた算出法によって対価を課金するなどの情報や、各楽曲データ毎に設定された対価や、著作権情報等の保護情報によりＨＤ１２ｃへの記録に不具合が生じた場合に適用する対価の割引情報等、が登録されている。
【００９６】
また、車載用ＡＶ装置１に含まれる制御部１７は、当該車載用ＡＶ装置１を構成する構成部分を対価情報受信手段および対価情報提示手段としてさらに機能させると共に、サービスサーバ２に含まれる制御部２４は、当該サービスサーバ２を構成する構成部分を対価情報取得手段、対価情報送信手段、ユーザ情報管理手段としてさらに機能させる。
【００９７】
そして、制御部１７は、通信部２３と共に対価情報受信手段として機能することにより、サービスサーバ２にアクセスして対応情報の取得するに際し、その対応情報に対する対価情報をサービスサーバ２より受信する。
【００９８】
また、制御部１７は、対価情報提示手段としての機能をさらに備え、サービスサーバ２から受信した対価情報を装置に備えた図示しない表示部に表示したり、音声出力部などから音声によって出力するなどして、該対価情報をユーザに提示する。
【００９９】
そして、制御部２４は、対価情報取得手段として機能することにより、上記対価情報用データベース２１ｂを参照して対価情報を取得する。
【０１００】
そして、制御部２４は、通信部２３と共に、対価情報送信手段として機能することにより、取得した対価情報を車載用ＡＶ装置１に送信する。
【０１０１】
また、制御部２４は、ユーザ情報管理手段として機能することにより、車載用ＡＶ装置１から通信部２３を介して受信したユーザ情報をユーザ情報用データベース２１ａを用いて管理し、車載用ＡＶ装置１から装置識別情報の送信がある毎に当該登録されているユーザ情報と照合し、そして該ユーザからのアクセス回数、滞納情報などを更新し、それに応じて、対価情報用データベース２１ｂを用いて対価情報取得手段として対価の決定を行うためのものである。なお、滞納情報はオペレータの操作によって滞納確認時に該データベースに入力して登録してもよく、あるいは、ユーザ情報用データベースに登録された精算手段が電子マネーによる電子口座であって、口座残高不足などによる滞納を認識した場合には、自動で登録しても良い。
【０１０２】
車載用ＡＶシステムＳのその他の構成および機能は、上述の第１の実施の形態と同様であるため、詳細な説明を省略する。
【０１０３】
次に、図４乃至図７を参照して、車載用ＡＶシステムＳの動作を説明する。図６および図７は、車載用ＡＶ装置１にてＣＤからＨＤ１２ｃに記録（いわゆるＣＤリッピング）が行われる場合の処理を示すものであり、具体的には、図６は、車載用ＡＶ装置１の制御部１７の処理を示すフローチャートであり、図７は、サービスサーバ２の制御部２４の処理を示すフローチャートである。なお、図４は、コンテンツサーバ３の制御部３４の処理を示すフローチャートであって、第１の実施の形態と同様の動作である。
【０１０４】
まず、図６を参照して車載用ＡＶ装置１における処理について説明する。なお、図６の処理は、制御部１７において上記情報記録プログラムが実行されることにより行われる。
【０１０５】
図６の処理において、例えば、ユーザが占有しているＣＤを、車内に持ち込みＣＤ再生部１１に装填すると、車載用ＡＶ装置１の制御部１７は、ＣＤ再生部１１により当該ＣＤの最内周部から読み出されたＴＯＣ情報を取得し、例えば、作業用ＲＡＭに記憶する（ステップＳ４１）。
【０１０６】
次に、ユーザが入力部１３に設けられた操作ボタンを操作することにより、ＣＤからＨＤ１２ｃに記録する、いわゆるＣＤリッピングの動作指示を入力すると、制御部１７は、これを認識し（ステップＳ４２：Ｙｅｓ）、装填されたＣＤがその楽曲データの著作権を保護するための保護情報を有するＣＤであるか否かを判別する（ステップＳ４３）。他方、リッピングの動作指示がない場合には（ステップＳ４２：Ｎｏ）、ステップＳ４２の判断処理を繰り返す。
【０１０７】
ステップＳ４３の判別の結果、装填されたＣＤが保護情報を有するＣＤでない場合には（ステップＳ４３：Ｎｏ）、通常のＣＤリッピング処理を行う。他方、ステップＳ４３の判別の結果、装填されたＣＤが保護情報を有するＣＤである場合には（ステップＳ４３：Ｙｅｓ）、制御部１７は、通信部１６を通じて、サービスサーバ２との通信をネットワーク４を介して確立し、取得したＴＯＣ情報と共にＨＤ１２ｃに記録されている装置識別情報をネットワーク４を介してサービスサーバ２に送信する（ステップＳ４５）。かかるＴＯＣ情報を受信したサービスサーバ２等における処理は、後に詳述する。
【０１０８】
次に、車載用ＡＶ装置１が上記ＴＯＣ情報に応じてサービスサーバ２から送信された試聴情報および対価情報をネットワーク４を介して受信した場合には（ステップＳ４６：Ｙｅｓ）、制御部１７は、試聴情報をＨＤ記録部１２ａによりＨＤ１２ｃに記録させた後に、ＨＤ再生部１２ｂおよび音声出力部１５によって該試聴情報を再生、出力し、装置に備えた図示しない表示部などに該対価情報を表示し、出力する（ステップＳ４７）。
【０１０９】
他方、サービスサーバ２から試聴情報および対価情報の受信がない場合には（ステップＳ４６：Ｎｏ）、サービスサーバ２から拒否情報を受信したか否かを判断し、拒否情報を受信した場合には、通信部１６を通じて、サービスサーバ２との通信を切断してすべての処理を終了し（ステップＳ４８：Ｙｅｓ）、拒否情報の受信もない場合には（ステップＳ４８：Ｎｏ）には、ステップＳ４５に移行して再度ＴＯＣ情報と共に装置識別情報をネットワーク４を介してサービスサーバ２に送信する。これは、サービスサーバ２との何らかの通信トラブルなどによって、ＴＯＣ情報および装置識別情報が適当にサービスサーバ２に送信されてない場合に、再度ＴＯＣ情報および装置識別情報の送信を試みるためである。この場合において、制御部１７の制御によりあらかじめ決められた回数だけ繰り返し試みるよう設定する。
【０１１０】
そして、ステップＳ４７の処理に従い試聴情報および対価情報を出力後、制御部１７は、ユーザが入力部１３に設けられた操作ボタン等を操作することにより、ユーザに対して該試聴情報にかかる対応情報（配信楽曲データ）を要求するか否かの判断を促し（ステップＳ４９）、対応情報要求の指示がある場合には（ステップＳ４９：Ｙｅｓ）、対応情報要求をサービスサーバ２に送信する（ステップＳ５１）。
【０１１１】
一方、対応情報要求の指示がない場合には（ステップＳ４９：Ｎｏ）、制御部１７は、ユーザが入力部１３に設けられた操作ボタンを操作することにより、ユーザに対してすべてのＨＤ１２ｃへの記録動作（ＣＤリッピング）をキャンセルするか否かの判断を促し（ステップＳ５０）、キャンセル指示がある場合には、通信部１６を通じて、サービスサーバ２との通信を切断してすべての処理を終了する（ステップＳ５０：Ｙｅｓ）。これは、ユーザが試聴情報あるいは対価情報を確認した上で、楽曲データにかかる対応情報の受信をキャンセルする場合があるからである。
【０１１２】
他方、ステップＳ５０においてユーザよりキャンセル指示がない場合には（ステップＳ５０：Ｎｏ）、ステップＳ４５に戻る。これは、サービスサーバ２との何らかの通信トラブルなどによって、前記対応情報を要求するか否かの指示がサービスサーバ２に送信されていない場合、もしくは、それ以前にＴＯＣ情報および装置識別情報がサービスサーバ２に送信されてない場合を考慮し、再度ＴＯＣ情報および装置識別情報の送信から試みるためである。このとき、制御部１７の制御によりあらかじめ決められた回数だけ繰り返し試みるよう設定する。
【０１１３】
そして、ステップＳ５１で対応情報要求指示をサービスサーバ２に送信すると、車載用ＡＶ装置１はサービスサーバ２から送信された対応情報をネットワーク４を介して受信するまでステップＳ５２の判断処理を繰り返し（ステップＳ５２：Ｎｏ）、対応情報を受信すると（ステップＳ５２：Ｙｅｓ）、制御部１７は、上記ＴＯＣ情報と対応情報とを対応付けてＨＤ記録部１２ａによりＨＤ１２ｃに記録させる（ステップＳ５３）。
【０１１４】
その後、通信部１６を通じて、サービスサーバ２との通信を切断してすべての処理を終了する。
【０１１５】
こうして、ユーザは、自己が占有するＣＤについての楽曲データの著作権について保護情報を有するＣＤであるため、自己の所有するＨＤ１２ｃに対してＣＤリッピングを行うことができない場合でも、ネットワークを介して対応情報（配信楽曲データ）をＨＤ１２ｃに記録することができる。
【０１１６】
また、この際、対価情報によって対応情報の取得にかかる金額（対価）を確認して、該対応情報を取得するか否かを、対応情報取得前に、一旦、ユーザ自身で判断することも可能である。
【０１１７】
次に、図７および図４を参照してサービスサーバ２およびコンテンツサーバ３における処理について説明する。なお、図７の処理は、制御部２４において上記情報提供プログラムが実行されることにより行われる。
【０１１８】
図７の処理において、サービスサーバ２の制御部２４が車載用ＡＶ装置１から送信されたＴＯＣ情報および装置識別情報をネットワーク４を介して受信すると（ステップＳ６１）、制御部２４は、ユーザ情報用データベース２１ａを参照し、上記受信された装置識別情報に対応する車載用ＡＶ装置１からのアクセス日時およびその車載用ＡＶ装置１に送信した試聴情報および対応情報を特定するための情報を確認し、あらかじめ定められた回数以上のアクセスである等の不正アクセスの疑いがあるか否か、また、対価滞納常習者であるか否かなどを判断する（ステップＳ６２）。このとき、不正アクセスであると判断した場合には（ステップＳ６２：Ｙｅｓ）、拒否情報を当該車載用ＡＶ装置１に送信し（ステップＳ６３）、上記受信されたユーザ情報を更新して処理を終了する（ステップＳ７０）。このユーザ情報の更新とは、車載用ＡＶ装置１からのアクセス日時情報を、そのユーザ情報に追加する処理のことを示す。これにより、制御部２４は、ユーザが何回目の対応情報要求であるかについて、常に、最新の情報を認識することができる。
【０１１９】
他方、不正アクセスでない場合には（ステップＳ６２：Ｎｏ）、通信部２３を通じて、コンテンツサーバ３との通信をネットワーク４を介して確立し、当該ＴＯＣ情報をネットワーク４を介してコンテンツサーバ３に送信する（ステップＳ６４）。
【０１２０】
そして、図４の処理において、コンテンツサーバ３の制御部３４がサービスサーバ２から送信されたＴＯＣ情報をネットワーク４を介して受信すると（ステップＳ３１）、当該制御部３４は、試聴情報用データベース３１ａおよび対応情報用データベース３１ｂを参照して、当該ＴＯＣ情報に対応する楽曲データに関する試聴情報および対応情報としての配信楽曲データを取得し（ステップＳ３２）、サービスサーバ２に送信（返信）する（ステップＳ３３）。
【０１２１】
そして、図７の処理に戻り、サービスサーバ２の制御部２４は、コンテンツサーバ３から上記ＴＯＣ情報に対応する試聴情報および対応情報をネットワーク４を介して受信するまでステップＳ６５の判断処理を繰り返し（ステップＳ６５：Ｎｏ）、これら試聴情報および対応情報を受信すると（ステップＳ６５：Ｙｅｓ）、制御部２４は、ユーザ情報用データベース２１ａおよび対価情報用データベース２１ｂを参照して、対価情報を算出する（ステップＳ６６）。
【０１２２】
そして、制御部２４は、通信部２３を通じて車載用ＡＶ装置１に当該試聴情報および対応情報を送信する（ステップＳ６７）。
【０１２３】
次に、制御部２４は、車載用ＡＶ装置１から対応情報要求を受信すると（ステップＳ６８：Ｙｅｓ）、通信部２３を通じて上記対応情報を車載用ＡＶ装置１に送信する（ステップＳ６９）。他方、車載用ＡＶ装置１から対応情報要求を受信しない場合には、ステップＳ６１に戻る。これは、車載用ＡＶ装置１との何らかの通信トラブル等によって通信できなかった場合など、再度ＴＯＣ情報等の受信から試みる趣旨である。この場合において、制御部２４の制御によりあらかじめ決められた回数だけ繰り返し試みるよう設定する（図６に示すフローにおいて、ステップ４８：Ｎｏ，ステップＳ５０：Ｎｏと同様）。
【０１２４】
そして、制御部２４は、ユーザ情報用データベース２１ａを参照し、上記受信されたユーザ情報を更新して処理を終了する（ステップＳ７０）。このユーザ情報の更新は、車載用ＡＶ装置１からのアクセス日時およびその車載用ＡＶ装置１に送信した試聴情報および対応情報を特定するための情報を、そのユーザ情報に追加することにより行う。つまり、ユーザのアクセス回数、具体的には、一のＣＤの楽曲データに対応する対応情報をネットワークを介してダウンロードした回数を更新する。これにより、制御部２４は、上述したステップＳ６２の処理において不正が行われていると疑いがあるほど多数回にわたってダウンロードを行っていないか等を認識することができる。
【０１２５】
こうして、ユーザは、自己が占有するＣＤについての楽曲データの著作権について保護情報を有するＣＤであっても、自己の有する他の記録媒体であるＨＤ１２ｃに（いわゆるＣＤリッピングに代えて）記録することができる。
【０１２６】
また、この際に、対価情報によって対応情報の取得にかかる金額（対価）を確認して、該対応情報を取得するか否かを、対応情報取得前に、一旦、ユーザ自身で判断することも可能である。
【０１２７】
なお、上述した対価情報用データベース２１ｂはコンテンツサーバ３内に設けてもよい。この場合には、コンテンツサーバ３からサービスサーバ２に対して対応情報を送信する際にその対価を請求するように構成する。
【０１２８】
また、対価情報の授受にはネットワーク４を介して電子マネーなどにより自動で行われてもよく、また、ユーザ情報として登録したユーザの住所に請求書を後日送付してもよい。
【０１２９】
また、上述した第１および第２の実施形態では、著作権保護のための保護情報として、「プログラム情報の出力を禁止する著作権情報」が認識されたときにネットワーク４を介して試聴情報および対応情報を情報提供装置であるサービスサーバ２およびサービスサーバ３からダウンロードして取得する例を示したが、この他にも前記保護情報として、前記識別情報（ＴＯＣ）やプログラム情報（楽曲データ）の一部にあらかじめ意図的にエラー情報を挿入する等、様々な保護情報が存在するが、これらの場合は、前記保護情報認識手段は、例えば、ＣＤからＨＤ１２ｃに記録する際に生じるエラーや音飛び等の不具合を検知することにより保護情報の存在を認識するようにすればよい。
【０１３０】
さらに、前記保護情報認識手段が、前記エラーや音飛び等の不具合を検知することにより保護情報の存在を認識するように構成することにより、例えばＣＤ自体に傷がついている場合やＣＤに記録されたプログラム情報に破損がある場合などにおいても、ＨＤ１２ｃに記録できないプログラム情報に代えて、試聴情報および対応情報を、情報提供装置であるサービスサーバ２およびサービスサーバ３からダウンロードして取得することができる。
【０１３１】
また、上述した第１および第２の実施形態では、対応情報取得の前に試聴情報を取得することにより、当該試聴情報を試聴してユーザに当該対応情報を取得するか否かの選択機会を設け、ユーザにとって無用な対応情報を取得しないようにした好適な例を示したが、これに限るものではなく、一の記録媒体（ＣＤ等）から他の記録媒体（ＨＤ１２ｃ等）への記録指示があると、試聴情報を取得せずに自動的に対応情報を取得するように構成しても良いことはもちろんである。
【図面の簡単な説明】
【図１】第１の実施の形態における情報提供システムの一例としての車載用ＡＶシステムの概要構成を示すブロック図である。
【図２】第１の実施の形態における車載用ＡＶ装置の制御部の処理を示すフローチャートである。
【図３】第１の実施の形態におけるサービスサーバの制御部の処理を示すフローチャートである。
【図４】第１および第２の実施の形態におけるコンテンツサーバの制御部の処理を示すフローチャートである。
【図５】第２の実施の形態における情報提供システムの一例としての車載用ＡＶシステムＳの概要構成を示すブロック図である。
【図６】第２の実施の形態における車載用ＡＶ装置の制御部の処理を示すフローチャートである。
【図７】第２の実施の形態におけるサービスサーバの制御部の処理を示すフローチャートである。
【符号の説明】
１  車載用ＡＶ装置
２  サービスサーバ
３  コンテンツサーバ
４  ネットワーク
１１  ＣＤ再生部
１２  記録部
ＨＤ記録部１２ａ
ＨＤ再生部１２ｂ
ＨＤ１２ｃ
１３  入力部
１５  音声出力部
１６  通信部
１７  制御部
１８  バス
２１  記憶部
ユーザ情報用データベース２１ａ
対価情報用データベース２１ｂ
２２  入力部
２３  通信部
２４  制御部
２５  バス
３１  記憶部
試聴情報用データベース３１ａ
対応情報用データベース３１ｂ
３２  入力部
３３  通信部
３４  制御部
３５  バス
Ｓ  車載用ＡＶシステム
【図１】
2004258197.tif 000003
【図２】
2004258197.tif 000004
【図３】
2004258197.tif 000005
【図４】
2004258197.tif 000006
【図５】
2004258197.tif 000007
【図６】
2004258197.tif 000008
【図７】
2004258197.tif 000009